(57)【特許請求の範囲】
【請求項１】
被検者の視覚および協応動作を検査する検査装置において、
２種類以上の視覚および協応動作の能力検査を提示する提示コンポーネントであって、
視覚および協応動作の能力検査は被検者の視覚および協応動作の双方を測定する検査とし、また被検者が各検査に応答して入力を行うようにする、該提示コンポーネントと、
被検者が行った入力を受信するよう構成した入力コンポーネントと、受信した入力を処理するよう構成した処理コンポーネントと、を備え、
前記２種類以上の視覚および協応動作の能力検査は、身体協応動作の検査、目−手の協応動作の検査、及び多重注意検査を含み、
前記入力コンポーネントは、バランスボードを含み、
前記身体協応動作の検査は、前記提示コンポーネントの一の特定の四半象限に視覚マークを提示するステップと、前記バランスボード上で前記被験者がバランスをとることにより前記被験者に前記特定の四半象限を指し示すことを要求するステップとを含む、
検査装置。
【請求項２】
請求項１に記載の検査装置において、前記処理コンポーネントは、前記受信した入力に基づいてスコアを決定するスコア付けコンポーネントを有する、検査装置。
【請求項３】
請求項２に記載の検査装置において、前記処理コンポーネントは、さらに、前記決定したスコアに基づいて訓練計画を作成する訓練展開コンポーネントを有する、検査装置。
【請求項４】
請求項１に記載の検査装置において、前記目−手の協応動作の検査は、被検者に提示する視覚マークであって、被検者が前記視覚マークの位置を捜し当てるのに応答して入力を行うことにより被検者が位置を捜し当てるようにする該視覚マークを有する、検査装置。
【請求項５】
請求項１に記載の検査装置において、前記多重注意検査は、被検者に第１位置で提示する第１視覚マークであって、被検者が第１視覚マークの位置を捜し当てるのに応答して入力を行うようにする該第１視覚マークと、被検者に第２位置に提示する第２視覚マークであって、被検者から応答を要求する該第２視覚マークと、を有する、検査装置。
【請求項６】
請求項５に記載の検査装置において、前記第２視覚マークにより要求される前記応答は、前記第２視覚マークの向きの識別結果を含む、検査装置。
【請求項７】
請求項５または６に記載の検査装置において、前記第２視覚マークはランドルト環とした、検査装置。
【請求項８】
請求項１に記載の検査装置において、２種類以上の視覚および協応動作の能力検査のうち一つは、反応時間の検査とした、検査装置。
【請求項９】
被検者の視覚および協応動作の能力を検査する検査方法であって、一元的場所で行う、
該検査方法において、２種類以上の視覚および協応動作の能力の検査を被検者に実施する検査実施ステップであって、視覚および協応動作の能力の検査は被検者の視覚および協応動作の双方を測定する検査である該検査実施ステップと、各検査に応答する被検者からの入力を受信するステップと、受信した入力を処理するステップと、を含み、
前記２種類以上の視覚および協応動作の能力検査は、身体協応動作の検査、目−手の協応動作の検査、及び多重注意検査を含み、
前記入力を受信するステップは、バランスボードからの入力を受信するステップを含み、
前記身体協応動作の検査は、提示コンポーネントの一の特定の四半象限に視覚マークを提示するステップと、前記バランスボード上で前記被験者がバランスをとることにより前記被験者に前記特定の四半象限を指し示すことを要求するステップとを含む、
検査方法。
【請求項１０】
請求項９に記載の検査方法において、さらに、前記受信した入力に基づいてスコアを決定するステップを有する、検査方法。
【請求項１１】
請求項１０に記載の検査方法は、訓練展開コンポーネントを備える被検者の視覚および協応動作を検査する検査装置が各ステップを実施する検査方法であって、さらに、前記訓練展開コンポーネントが、前記決定したスコアに基づく訓練計画を作成するステップを含む、方法。
【請求項１２】
請求項９に記載の検査方法において、２種類以上の視覚および協応動作の能力検査のうち一つは、目−手の協応動作の検査とする、検査方法。
【請求項１３】
請求項１０に記載の検査方法において、前記目−手の協応動作の検査は、被検者に提示する視覚マークであって、被検者が前記視覚マークの位置を捜し当てることに応答して入力を行うことにより被検者が位置を捜し当てるようにする該視覚マークを有する、検査方法。
【請求項１４】
請求項９に記載の検査方法において、２種類以上の視覚と協応動作の能力検査のうち一つは、多重注意の検査とした、検査方法。
【請求項１５】
請求項１４に記載の検査方法において、前記多重注意検査は、被検者に第１位置で提示する第１視覚マークであって、被検者が第１視覚マークの位置を捜し当てることに応答して入力を行うようにする該第１視覚マークと、被検者に第２位置で提示する第２視覚マークであって、被検者から応答を要求する該第２視覚マークと、を有する、検査方法。
【請求項１６】
請求項１５に記載の検査装置において、前記第２視覚マークにより要求される前記応答は、前記第２視覚マークの向きの識別結果を含む、検査方法。
【請求項１７】
請求項１５または１６に記載の検査方法において、前記第２視覚マークをランドルト環とする、検査方法。
【請求項１８】
請求項１７に記載の検査方法において、２種類以上の視覚および協応動作の能力検査のうち一つを、反応時間の検査とした、検査方法。
【発明の詳細な説明】
【技術分野】
【０００１】
関連出願の相互参照
本出願は、２００７年４月１３日出願の米国特許仮出願第６０／９２３４３４号 （タイトルは「シミュレーション動作中に視覚能力を検査するシステムおよび方法」）の優先権を主張するものであり、このことを本明細書に付記する。本出願は、また、２００７年６月４日出願の米国特許仮出願第６０／９４１９１５号 （タイトルは「分離して視覚能力を検査するシステムおよび方法」）の優先権を主張するものであり、このことを本明細書に付記する。
【０００２】
本発明は概して、個人の視覚および協応動作の評価および／または訓練に関する。
【背景技術】
【０００３】
身体能力とともに、スポーツなどの活動に参加するとき、個人の視覚は個人のパフォーマンスに影響を与える。一般的に、スポーツまたは活動を改善するために、個人は全体的なパフォーマンスを向上させるために身体能力を改善することに傾注する。しかし、個人の視覚および協応動作の能力または鋭敏性を検査および訓練することによっても、個人のパフォーマンスを改善することができる。
【発明の概要】
【発明が解決しようとする課題】
【０００４】
この概要は、以下の詳細な説明にさらに記載する概念を選択して簡潔に紹介する。この概要は特許請求の範囲の重要な特徴または本質的特徴を識別することを意図するものではなく、また特許請求した要旨の範囲を決定しようとするものでもない。
【０００５】
本発明によれば、被検者の視覚および協応動作の能力を検査および／または訓練する方法を提供する。より詳細には、本発明方法は、一元的検査センターで被検者の視覚および協応動作の能力を、様々な態様で検査するステップを有することができる。様々な検査を用いることにより、より効率的な検査を運営することができる。本発明によれば、個人に視覚および協応動作の検査を実行可能である一元的センターで、検査および／または訓練するステップと、個人から入力を受信するステップと、受信した入力を処理するステップとによる方法を個人は行うことができる。そのような一元的検査センターは、さらに、実施する検査を個人の必要に応じて変更できるように順応設定可能とする。受信した入力は次に、例えば、使用者の視覚および協応動作の能力に関するデータを、全体的および各個人検査毎の双方に応じて計算することができる。
【課題を解決するための手段】
【０００６】
本発明の要旨は、法的要件を満たすよう本明細書に詳細に説明する。しかし、説明自体は本発明の特許請求の範囲を限定することを意図するものではない。むしろ発明者は、特許請求の範囲における要旨は他の方法でも実行することができ、異なるステップまたは本明細書に記載するものと同様なステップの組み合わせが可能であり、現在または未来の他の技術を合わせて使用できることをも考えられる。
【０００７】
本発明によれば、一元的検査ユニットで被検者の視覚および協応動作の能力を検査するシステムおよび方法を提供する。このような方法は、一元的検査ユニットで被検者の視覚および協応動作の能力の様々な態様（例えば、手と眼の協応動作、多重注意力、反応時間、体の協応動作等）を検査するステップを有し、当該一元的検査ユニットは、さらに結果データの処理および／または別の場所で処理するためネットワークによるデータ転送が可能である。そうすることで、一元的検査センターは被検者の視覚および協応動作能力の検査処理を効率化することができ、検査をするために必要なオーバーヘッドを軽減する（例えば設備の削減する）ことができる。この場合、受信した入力を使用して、例えば、使用者の視覚および協応動作の能力に関する結果を、検査全体でおよび各個人検査対して計算することができる。
【０００８】
ある実施形態に置いて、被検者の視覚および協応動作の能力を検査する検査装置を設ける。そのような検査装置は、提示コンポーネント、入力コンポーネント、処理コンポーネントを有し、提示コンポーネントは、明瞭視認性検査、コントラスト感受性検査、視線追跡性検査、距離合焦検査、視覚照準検査を被検者に提示可能である。各検査に応答して、被検者は検査装置に入力を供給することができる。この場合、入力コンポーネントは入力を受信するように構成し、また処理コンポーネントは受信した入力を処理するように構成することができる。
【０００９】
別の実施形態において、被検者の視覚および協応動作の能力を検査する方法であって、一元的場所で実行する方法を提供する。本発明方法は、部分的に、２種類以上の視覚能力検査を被検者に対して行うステップと、各テストに対する被検者の入力を受信するステップと、；被検者から受信した入力を処理するステップと、を有する。
本発明を、添付の図を参照して以下に詳細に記載する。
【図面の簡単な説明】
【００１０】
【図１】本発明の実施に使用し得るコンピュータシステム環境のブロック図である。
【図２】本発明の実施形態に使用する検査コンポーネントのブロック図を示す。
【図３】本発明の実施形態に使用する処理コンポーネントのブロック図を示す。
【図４】本発明の実施形態における、視覚および協応動作の一元的検査ユニットの例を示す。
【図５】本発明による、視覚および協応動作を検査する一元的検査ユニットの他の例を示す。
【図６】本発明の実施形態による、一元的場所で被検者の視覚および協応動作の能力を検査する方法を示すフローチャート（ダイアグラム）を示す。
【発明を実施するための形態】
【００１１】
図面全体につき説明すると、まず図１において、例示的なコンピュータシステムのブロック図を示、全体的に被検者の視覚および協応動作の能力を検査するために構成したコンピュータシステム１００として示す。当業者であれば、図１に示すコンピュータシステム１００は適切なコンピュータシステム環境の一例に過ぎず、本発明の実施形態の使用法または機能に範囲を限定することを意図するものでないことを理解できるであろう。コンピュータシステム１００は、個々に示す任意の１要素または要素の組み合わせに依存しまたは必要条件とすると解釈すべきでない。
【００１２】
コンピュータシステム１００は、入力デバイス１０２、表示デバイス１２０、データベース１０４、中央位置１０６、検査ユニット１１０を有し、接続部１０８を通して全てが互いに通信する。接続部１０８は、有線（ケーブルなど）または無線（無線ネットワーク）により実現することができる。接続部１０８をネットワークとすることができ、当該ネットワークは、以下に限定するものではないが、１個以上のローカルエリアネットワーク（ＬＡＮ）および／またはワイドエリアネットワーク（ＷＡＮ）を有することができる。さらに、接続部１０８はコンピュータシステム１００の要素間にローカル有線接続を有する構成とすることができる。したがって、接続部１０８についてはこれ以上説明しない。
【００１３】
入力デバイス１０２は、被検者から１個以上の応答入力を受信可能である。入力デバイス１０２は被検者から応答を受信することができる任意のデバイスとすることができる。当業者であれば、１個以上の入力デバイス、例えば入力デバイス１０２をコンピュータシステム１００に使用することができることを理解できるであろう。入力デバイス１０２は、例えば、マイクロフォン、ジョイスティック、ゲームパッド、ワイヤレス機器、キーボード、キーパッド、ゲームコントローラ、トレッドミル、床反力、視線追跡システム、ジェスチャー解析システム、タッチスクリーン、および／または他の任意の入力開始コンポーネントとすることができ、無線または有線でデータを検査ユニット１００に送信して、ネットワーク１０８を通して受信することができる。入力デバイス１０２は、被検者からの音声入力を処理する音声認識装置および／またはソフトウェアとすることができる。例えば、視覚マークを認識したことを示すための被検者からの音声入力を、視覚マークが持つ特徴を言語化したものとすることができる。ある実施形態において、特徴がランドルト環の向きであるとすれば、対応する音声入力は「上」、「下」、「右」、「左」とすることができる。しかし当業者であれば、被検者が視覚マークを知覚および／または認識する他の音声入力（例えば色、数字、文字、特徴などを述べる）を使用することができることを理解できるであろう。しかし、本発明は、このような入力デバイス１０２で実現することに限定するもののではなく、任意の様々な異なるタイプのデバイスで実施することも本発明実施形態の範囲内であることに留意されたい。表示した視覚マークに対する被検者の応答を示す入力を、受信して記録することができる。特徴が向きである場合、満足のいく検査応答は、視覚マークが向く方向の識別とすることができる。単なる一例として、以下に限定するものではないが、この識別としては、入力デバイスとして用いるハンドヘルド機器上の方向に応じてジョイスティックに手動で方向を与えることにより被検者が入力を与えることができる。
【００１４】
入力デバイス１０２が視線追跡システムである場合、被検者の眼の位置および／または焦点を測定することができ、眼が適切な場所に位置するおよび／または焦点を合わせる（合焦する）時間を入力として記録することができる。
【００１５】
入力デバイス１０２がジェスチャー認識システムである場合、様々なシステムおよび／または方法を、入力を受信するために使用することができる。例えば、１つ以上のカメラは、被検者の身体の体肢および／または四肢の動きを観測することができ、適切なハードウェアおよび／またはソフトウェアと連動することができ、被検者が適切な入力を行った時間を記録することができる。ジェスチャー認識システムは、容易に運動を追跡するために被検者に貼り付けた光学マーカーを使用することができる。被検者に貼り付けた送信機および受信機（例えば、赤外放射、音波、亜音速、超音波の送信を受信する）を、ジェスチャー認識システムの一部として使用することができる。
【００１６】
入力デバイス１０２がタッチスクリーンである場合、任意のタイプのタッチスクリーンを使用することができる。また、タッチ感応式材料のオーバーレイを、それ自身はタッチ感知式でない表示デバイスと組み合わせて、タッチ入力を受信するために使用することができる。そのようなオーバーレイは表示デバイスから任意の距離に設けることができる。
【００１７】
表示デバイス１２０は、被検者により視覚的に観察できる出力映像を表示可能であり、任意のタイプのコンピュータ、検査装置またはテレビモニタとすることができ、ブラウン管、液晶ディスプレイ、プラズマスクリーン、または任意の他のディスプレイタイプとすることができ、または画像を前方または後方から投影するスクリーンを備えることもできる。さらに、表示デバイス１２０は、被検者に視覚能力検査を実施する前、最中、後に、検査実施者が検査ユニット１００と対話するためのユーザーインタフェースを与える。
【００１８】
検査ユニット１００は、図１に示すように、任意のタイプのコンピュータ装置とすることができ、このコンピュータ装置の実施形態を、以下に図４および５につき詳細に説明する。データベース１０４は、視覚および協応動作の検査に関連する情報を保存するように構成することができる。当業者であれば、データベース１０４に保存した情報を編集可能にすし、また視覚および協応動作の検査に関連する任意の情報を含むことができることを理解できるであろう。このような情報の内容および量は、本発明の実施形態の範囲を限定することを何ら意図するものではない。一つの独立したコンポーネントとして図示したが、データベース１０４は、実際には、複数のデータベースとすることができ、例えば、データベースクラスタとすることができる。さらに、データベース１０４の一部または全部を、検査ユニット１１０に関連するコンピュータ装置、別の外部コンピュータ装置（図示せず）、および／またはそれらの任意の組み合わせに取り付けることができる。当業者であれば、データベース１０４は随意的であり、またコンピュータシステム１００に関連して実装する必要がないことを理解すべきである。
【００１９】
図１につき説明すると、本発明の実施形態では、検査ユニット１１０は、提示コンポーネント１１２、入力コンポーネント１１４、検査コンポーネント１１６、処理コンポーネント１１８を有することができる。当業者であれば、図１に図示するコンポーネント１１２，１１４，１１６，１１８は、性質および個数に関して一例であり、限定するものと解釈すべきでないことを理解できるであろう。任意の個数のコンポーネントを、本発明の実施形態の範囲内で、好適な機能を達成するために使用することができる。
【００２０】
提示コンポーネント１１２は、被検者により視覚的に観察できる出力映像を表示可能とし、任意のタイプのコンピュータ、検査装置またはテレビモニタとすることができ、ブラウン管、液晶ディスプレイ、プラズマスクリーン、または任意の他のディスプレイタイプとすることができ、または画像を前方または後方から投影するスクリーンを備えることもできる。
【００２１】
ある実施形態において、提示コンポーネント１１２は、限定された空間域に視覚的な遠近法的距離を発生させるために計画的に配置したミラーおよび／またはレンズを使用する装置（例えば、トンネル効果を生成するためにミラーを周回配置する）とすることができる。そのような装置の例としては、遠近法的距離を発生するためにミラーを使用する遠近法的検査装置がある。このような装置は、中心域に表示した（直接被検者の前に）視覚マークを表示するミラーを設けることができ、周辺視覚能力を検査するために視覚マークを表示するサイドミラーをさらに有することができる。
【００２２】
別の実施形態において、シミュレート（模擬）距離を得るために表示される視覚マークの知覚距離および／またはサイズを変化させるレンズを装置は有することができる。結果として、このような装置は、実際のディスプレイよりも、被検者のより近くまたはより遠くに見えるように視覚マークを表示することができる。
【００２３】
当業者であれば、提示コンポーネント１１２は、複数のデバイスを組み合わせて特定の行為に典型的ないくつかの視覚刺激を表示できることを理解できるであろう。ある実施形態において、視覚マークを複数表示するために単独のデバイスを使用することができる（例えばスプリットスクリーン）。
【００２４】
提示コンポーネント１１２は、代案として表示メガネ、ゴーグル、バイザー等とし、概して他人に見えないように被検者に対して視覚表示するために被検者が装着することができる。さらに、提示コンポーネント１１２は、被検者に２次元または３次元画像を供給することができる。３次元画像表示は、被検者に対して仮想現実またはホログラフィックを提示することができる。
【００２５】
作動にあたり、提示コンポーネント１１２は被検者に１個以上の視覚マークを提示するよう構成することができる。以下により詳細に記載するように、提示コンポーネント１１２は、被検者の視覚と協応動作の能力の異なる態様を検査するために様々な方法で視覚マークを提示することができる。一般的に、各視覚マークは一つまたは複数の特徴を有することができる。この特徴は、例えば、方向性のある向き（例えば、矢印、ランドルト環、転回するＥ）、ユーザーインタフェースの位置（例えばディスプレイの特定の四半象限における位置）、所定個数の互いに排他的な特徴のうち一つ（例えば、上、下、左、右のいずれかに対面するインジケータ）、または特徴の任意の組み合わせとすることができる。さらに、当業者であれば、他の特徴を使用することができ、本発明は任意の特徴に限定するものでないことを理解できるであろう。
【００２６】
入力コンポーネント１１４は、被検者からの入力を受信する（例えば入力デバイス１０２を使用することにより）よう構成することができる。被検者が与える入力を受信可能な任意の適切な受信コンポーネントを、本発明により使用することができる。例えば、以下に限定するものではないが、被検者は、キーボード、ジョイスティック、トラックボール等を使用して入力することができる。入力は提示コンポーネントによって決まる。例えば、提示コンポーネントがタッチ感応式である場合、被検者は提示コンポーネントにタッチすることにより入力を与えることができる。別の実施形態において、入力コンポーネントを音声認識可能とし、被検者は認識した音声応答を入力コンポーネントにより入力することができる。当業者であれば、本発明による任意の適切な入力コンポーネントを使用できることを理解できるであろう。特定のタイプは、提示コンポーネントにより提示する検査および上述のように提示コンポーネントの能力基づくものとするのが好適である。被検者から入力を受信した後に、入力コンポーネント１１４は、入力を、例えばその後の基準とするためにデータベース１０４内に保存することができる。
【００２７】
検査コンポーネント１１６は、被検者に検査を実行するよう構成することができる。図２に関してより詳細に記載するように、検査コンポーネント１１６は被検者の視覚および協応動作の能力を決定する２種類以上の検査を実行することができる。より詳細には、複数の検査を検査ユニット１１０などの一元的場所に設けることができる。さらに、検査コンポーネント１１６を、被検者に応じて検査を変更するよう構成することができる。例えば検査を、特定のスポーツまたは行為の被検者の競技レベルや視覚の長所／短所などを検査するために変更することができる。したがって、検査コンポーネント１１６は、さらに、提示コンポーネント１１２により提示する検査（および検査のレベルまたは難易度）の決定に関与することができる。
【００２８】
処理コンポーネント１１８は、入力コンポーネント１１３が受信した入力を処理するように設けることができる。図３に示すように、処理コンポーネント１１８は、スコア付け（スコアリング）コンポーネント３１０、データ収集コンポーネント３１２、訓練展開コンポーネント３１４、伝達コンポーネント３１６を備えることができる。スコア付けコンポーネント３１０は、提示した検査に対する被検者の応答にもとづいてスコアを導出するスコアリングアルゴリズムを使用するよう構成することができる。被検者の応答を、一般的にはデータベース１０４から回収した特定の母集団の応答と比較することにより決定することができる。スコア付けコンポーネント３１０は、視覚マークに対する１個以上の応答を受信および測定することで、被検者の視覚および協応動作の能力を評価することができる。スコアを（例えばパーセント表示で）決定した後、提示コンポーネント１１２により被検者にスコアを提示することができる。各検査の終了時、検査全体の終了時、またはその双方の時点で、スコアを提示することができる。
【００２９】
データ収集コンポーネント３１２は、入力コンポーネント１１４から受信したデータを収集するように構成することができる。この場合、このようなデータを、例えばデータベース１０４内に保存することができる。収集データは、さらに、特定の母集団に対する基準を作成するために使用して、その基準をスコア付けコンポーネント３１０が使用することができるようにする。当業者であれば、データベース１０４および／またはスコア付けコンポーネント３１０を、システム１００の他の要素から離して配置できることを理解できるであろう。
【００３０】
訓練展開コンポーネント３１４は、収集データおよび決定スコアに基づいて被検者に訓練計画または方法を展開するように構成する。本発明の実施形態において、検査ユニット１１０は、被検者が検査を受けた後に、被検者に訓練をするために用いることができる。
【００３１】
伝達コンポーネント３１６は、決定したスコア、収集データ等を提示コンポーネント１１２に転送するよう構成することができる。伝達コンポーネント３１６は、このデータを外部コンピュータ装置、例えば中央位置１０６に供給し、さらなる考察、解析または保存できるようにする。ある実施形態において、伝達コンポーネント３１６は、リアルタイムで検査コンポーネント１１６にデータを供給し、これにより、検査プロセス中に検査を順応設定または変更することができる。当業者であれば、上述の実施形態および例を説明したが、伝達コンポーネント３１６は、視覚および協応動作の検査に関する情報をコンピュータシステム１００の任意のコンポーネントに供給することができることを理解できるであろう。
【００３２】
当業者であれば、伝達コンポーネント３１６は検査ユニットから情報を任意の好適な周波数で送信できることを理解できるであろう。すなわち、情報を好適な位置に送信することができ、例えば被検者が全ての検査を完了した後に、または代案として各個別の検査が終了した後に、送信できる。保存および／または処理のための中央位置１０６またはデータベース１０４に情報を送信する場合、１日の終わりに情報を前被検者にまとめて送信することができる。周波数は、検査ユニットの記憶容量および処理能力、および情報の好適な使用法に依存する。
【００３３】
つぎに図２につき、検査コンポーネント１１６をさらに説明する。検査コンポーネント１１６は、目−手の協応動作コンポーネント２１０、多重注意コンポーネント２１２、反応時間コンポーネント２１４、身体の協応動作および／または任意の他のタイプにおける視覚検査コンポーネントを備えることができる。これらコンポーネントのそれぞれを、検査ユニット１１０が使用して、各被検者の視覚および協応動作の能力の様々な態様を検査することができる。当業者であれば、他の検査を使用することができ、これら他の検査も本発明の範囲内であることを理解できるであろう。
【００３４】
目−手の協応動作コンポーネント２１０は、被検者の明瞭視認性を検査するよう構成することができ、異なる位置に視覚マークを表示するステップと、被検者に各位置における視覚マークを特定することを要求するステップとを有することができる。任意の視覚マークを使用することができる。ある実施形態では、提示コンポーネント１１２などの表示デバイスを用いて視覚マークを提示することができ、表示デバイスはタッチ感応式とし、したがって、入力デバイスとしても作用する。このような実施形態では、被検者は表示デバイスをタッチすることにより視覚マークの位置を特定することができ、この応答を検査ユニット１００に入力する。当業者であれば、被検者の目−手の協応動作を検査できる任意の適切な検査を、目−手の協応動作コンポーネント２１０が使用できることを、理解できるであろう。
【００３５】
多重注意コンポーネント２１２は、異なる位置にある視覚マークに合焦する（眼の焦点を合わせる）間に、被検者の協応動作を検査するよう構成する。ある実施形態では、上述の目−手の協応動作を検査する例において被検者に提示した視覚マークと同様に、被検者に視覚マークを提示する。多重注意力を検査するために、第２視覚マークを、第１視覚マークと異なる位置に提示して、被検者は、第１視覚マークを識別するとともに、第２視覚マークの位置を捜し当てる必要がある。第２視覚マークは、例えばランドルト環とすることができ、被検者は第２視覚マークの向きを識別する必要がある。第２視覚マークを表示デバイスの中央に提示するとともに、被検者の目−手の協応動作を検査する第１視覚マークを表示デバイス上で表示デバイスの中央位置以外に表示することができる。当業者であれば、多重注意力の任意の適切な検査を、多重注意コンポーネント２１２が使用できることを、理解できるであろう。
【００３６】
反応時間コンポーネント２１４は、被検者の反応時間を検査するよう構成することができる。任意の適切な検査を、本発明の範囲内で使用することができる。例えば、以下に限定するものではないが、視覚マークを被検者に提示することができる。被検者は、例えばタッチスクリーン式の入力デバイスを用いて、第１視覚マークにタッチすることにより第１視覚マークを認識する必要がある。つぎに、第２視覚マークを被検者に対して表示または提示し、このとき被検者は、例えば第１視覚マークをタッチしていた手を、第２視覚マークをタッチするよう移動させることにより、第２視覚マークを認識しなければならない。第２視覚マークが表示された後に被検者が第２視覚マークを指し示すまでの所要時間を、被検者の反応時間として測定する。
【００３７】
身体協応動作コンポーネント２１６は、被検者の身体協応動作を検査するよう構成する。当業者であれば、身体協応動作を検査する任意の適切な検査を使用できることを理解できるであろう。例えば、以下に限定するものではないが、この身体協応動作コンポーネントは、バランスボードを使用して、被検者の身体の協応動作を検査するとともに、視覚検査を実施することができる。このような検査は、表示デバイスの特定の四半象限に視覚マークを提示するステップと、つぎにボード上でバランスをとることにより被検者にその特定象限を指し示すことを要求するステップとを有することができる。
【００３８】
つぎに図４につき説明すると、この図面には、本発明による例示的な視覚および協応動作の検査システム４００の実施形態を示す。検査に参加する被検者４１０は、行為中に被検者４１０の視覚能力を検査するよう、視覚検査システム４００を使用することができる。検査ユニット４１２は表示デバイス４１４および入力デバイス４１６を備えることができる。この実施形態において、検査ユニット４１２は、検査ユニット４１２に接続した（例えば、有線または無線接続で）入力デバイス４１６により、被検者４１０からの入力を受信することができる。当業者であれば、被検者４１０が任意のタイプの入力デバイスにより検査ユニット４１２に入力を与えることができ、被検者４１２は適切な応答を与えるために任意の手段（例えば物理的相互作用、音声認識）により入力デバイス４１６に相互作用することができることを、理解できるであろう。さらに、本発明は、様々な検査のために、１個以上の入力デバイスを使用することができる。例えば、図４には、被検者４１０を、バランスボード４１８上に立つ状態を示し、このバランスボード４１８は、所定検査、例えば上述の身体協応動作の検査に使用することができる。
【００３９】
いくつかの検査を被検者に提示できる検査ユニット４１２のような一元的検査ユニットを設けることにより、被検者の視覚および協応動作の能力に対する全体評価を行うことができる。さらに、検査ユニット４１２は処理能力を有しているために、データを処理して決定されるスコアおよび／または被検者の訓練計画を導くことができる。
【００４０】
図５は、本発明の実施形態による視覚および協応動作検査システムを示す。検査ユニット５１２は、表示デバイス５１４および入力デバイス５１６を備える。図５に示す入力デバイス５１６は、手動ボタンのセットとして示すが、本発明の範囲内で任意のタイプの入力デバイスを想定することができる。いくつかの実施形態において、表示デバイス５１４をタッチ感応式とし、これにより入力デバイスとしても作用する。
【００４１】
つぎに図６つき説明すると、フローチャート（ダイアグラム）６６０であって、被験者の視覚および協応動作の能力を検査する方法のフローチャートを示す。用語「ステップ」および「ブロック」を以下の説明で使用する方法の異なる要素を表すものとして使用し、この用語は様々なステップの内でまたは間で任意の特定の順番を表すと解釈すべきでないが、ただしここのステップの順番を明確に示したときを除く。初めに、２種類以上の視覚および／または協応動作の検査を被検者に実施する（例えば図１の検査ユニット１１０を用いる）。このことをブロック６１０で示す。当業者であれば、上述の任意の検査を実施することができて、視覚および協動作の能力を測定する任意の他のタイプとした検査も実施できることを理解できるであろう。実施する検査のタイプおよび検査の順番は、被検者の能力レベル、競技レベル、特定行為等に応じて順応設定することができる。検査を被検者に実施すると同時に、被検者は入力デバイスにより検査ユニットに接続した入力デバイスを操作することにより適切な応答を行うことができる。このことをブロック６２０で示す。複数の入力機器を使用することができ、一つ以上の入力を被検者から受信することができる。例えば、多重注意検査中、被検者は目−手の協応動作を検査する視覚マークに対する一つの応答を与えることができ、同時に被検者は離れた場所にある視覚マークに対する別の応答を上述のように与えることができる。処理コンポーネント（例えば、図１における処理コンポーネント１１８）は、次に、例えばデータの収集、スコアの決定、または訓練計画の展開により、受信入力を処理することができる。データは、例えばデータベース１０４内に保存する、または、伝達コンポーネントにより例えば中央位置１０６に送信することができる。このことをブロック６３０で示す。
【００４２】
随意的に、ブロック６４０において、各検査において被検者の入力から受信したデータを、被検者のスコアを決定するために用いることができる。個々のスコアを各検査に対して決定することができ、全体のスコアを全検査からのデータに基づいて決定することができる。スコアを、さらに特定の母集団における対応データに基づくものとし、したがって、被検者のスコアを比較する（例えば、被検者にパフォーマンスのパーセント表示を与える）。ブロック６５０において、被検者の視覚および協応動作の能力を訓練するために、例えば視覚能力に対する決定スコアおよび受信入力に基づいて、訓練計画を展開することができる。
【００４３】
本発明を特定の実施形態に関して記載したが、これらはすべて、限定的ではなく例示的であることを意図するものである。本発明に関連して本発明の範囲から逸脱することなく、代替的な実施形態が可能であることは、当業者には明らかであろう。
【００４４】
上述のとおり、本発明は上述したすべての目標および目的を達成するようによく適しており、システムおよび方法について明らかであり固有の他の利点を有することが分かるであろう。特定の特徴およびその組み合わせは実用的であり、他の特徴や組み合わせの例を参照することなく使用できることは理解できるであろう。このことは、特許請求の範囲が想定するものであり、また特許請求の範囲内である。
【図１】
0005610153.tif 000002
【図２】
0005610153.tif 000003
【図３】
0005610153.tif 000004
【図４】
0005610153.tif 000005
【図５】
0005610153.tif 000006
【図６】
0005610153.tif 000007